(57)【要約】【課題】ハイブリッド車両駆動システムにおいて、使用する燃料に適した目標ＳＯＣ範囲を決定することを目的とする。【解決手段】エンジン１４と、モータジェネレータ１６とを備えるハイブリッド車両駆動システム１０において、エンジン燃料のエタノール混合割合をエンジン１４の状態に基づいて推定する混合割合推定部と、推定されたエタノール混合割合に基づいて、電池３２の目標ＳＯＣ範囲を決定する目標ＳＯＣ範囲決定部と、電池３２の充電状態を制御する充電制御部とを備え、充電制御部は、目標ＳＯＣ範囲決定部によって決定された目標ＳＯＣ範囲に基づいて、電池３２の充電状態を制御する。【選択図】図１
2010000867.tif 000002
【特許請求の範囲】
【請求項１】
車両を駆動するエンジンと、
電池から供給される電力によって回転して前記エンジンを始動し、前記エンジンの駆動力によって発電して当該電池を充電するモータジェネレータと、
を備えるハイブリッド車両駆動システムにおいて、
エンジン燃料のエタノール混合割合をエンジンの状態に基づいて推定する混合割合推定部と、
推定されたエタノール混合割合に基づいて、前記電池の目標ＳＯＣ範囲を決定する目標ＳＯＣ範囲決定部と、
前記電池の充放電を制御する充放電制御部と、
を備え、
前記充電制御部は、
前記目標ＳＯＣ範囲決定部によって決定された目標ＳＯＣ範囲に基づいて、前記電池の充放電を制御することを特徴とするハイブリッド車両駆動システム。
【請求項２】
請求項１に記載のハイブリッド車両駆動システムにおいて、
前記目標ＳＯＣ範囲決定部は、
推定されたエタノール混合割合が高い程、前記目標ＳＯＣ範囲の下限値が大きくなるよう、前記目標ＳＯＣ範囲を決定することを特徴とするハイブリッド車両駆動システム。
【請求項３】
請求項１または請求項２に記載のハイブリッド車両駆動システムにおいて、
前記混合割合推定部は、
前記エンジンのノッキングを検出するノックセンサと、
前記エンジンを点火させるときのクランク角を調整する点火調整手段と、
を備え、
ノッキングが検出されるときの点火クランク角に基づいて、エンジン燃料のエタノール混合割合を推定することを特徴とするハイブリッド車両駆動システム。
【発明の詳細な説明】
【技術分野】
【０００１】
本発明は、ハイブリッド車両駆動システムにおいて、電池の目標ＳＯＣ範囲を決定する技術に関する。
【背景技術】
【０００２】
モータおよびエンジンを備えるハイブリッド車両が広く用いられている。ハイブリッド車両は、走行状態に応じてモータ駆動力およびエンジン駆動力の少なくともいずれかを用いて走行する。エンジン走行では、低速走行時のエネルギー効率が良好でない。そこで、ハイブリッド車両は、低速走行時には、モータ単独の駆動力によって走行する。モータは、電池から供給される電力によってハイブリッド車両を加速させる他、回生制動によって電池を充電しハイブリッド車両を減速させる。
【０００３】
ハイブリッド車両は、加速時または高速走行時にはエンジンを始動し、モータ駆動力およびエンジン駆動力によって走行する。走行中にエンジンを始動するため、ハイブリッド車両は、エンジン制御用のモータジェネレータを備える。モータジェネレータは、電池から供給される電力によって回転しエンジンを始動する他、エンジンの駆動力によって発電し電池を充電する。
【０００４】
このような構成によれば、エンジン駆動力の寄与およびモータ駆動力の寄与を走行状態に応じて調整することができる。また、回生制動エネルギーおよび走行に用いないエンジン駆動エネルギーを電力に変換して電池を充電することができる。これによって、エネルギー効率を高くすることができる。
【０００５】
【特許文献１】特開２００７−１６８５１２号公報
【特許文献２】特開２００７−２３１８３８号公報
【発明の開示】
【発明が解決しようとする課題】
【０００６】
ハイブリッド車両では、予め定められた電池の目標ＳＯＣ範囲（ＳＯＣはＳｔａｔｅ  Ｏｆ  Ｃｈａｒｇｅの略称である。）に基づいて、モータおよびエンジン制御用モータジェネレータによる充放電制御を行う。充放電制御が目標ＳＯＣ範囲に応じて行われることにより、エンジン駆動エネルギーによる充電電力量、回生制動による充電電力量等が調整される。目標ＳＯＣ範囲は、エネルギー効率が良好となるよう決定される。
【０００７】
近年、エンジンの二酸化炭素排出量を低減すべきとの社会的要請が強まっている。これに伴い、ガソリンにエタノールを混合したエタノール混合ガソリンが燃料として普及しつつある。エタノール混合ガソリンを用いた場合、エタノールが混合されていない通常のガソリンを用いた場合に比して、低温時にエンジンが始動し難くなる。すなわち、エンジンを始動するのに必要なエンジンシャフトの回転数が多くなり、エンジンを始動するために必要な電力量が大きくなる。これによって、通常ガソリンの使用を前提として決定された目標ＳＯＣ範囲に基づき電池が充電されている場合には、エンジンを始動する際に充電電力量が不十分となることがあるという問題があった。
【０００８】
本発明は、このような課題に対してなされたものである。すなわち、ハイブリッド車両駆動システムにおいて、使用する燃料に適した目標ＳＯＣ範囲を決定することを目的とする。
【課題を解決するための手段】
【０００９】
本発明は、車両を駆動するエンジンと、電池から供給される電力によって回転して前記エンジンを始動し、前記エンジンの駆動力によって発電して当該電池を充電するモータジェネレータと、を備えるハイブリッド車両駆動システムにおいて、エンジン燃料のエタノール混合割合をエンジンの状態に基づいて推定する混合割合推定部と、推定されたエタノール混合割合に基づいて、前記電池の目標ＳＯＣ範囲を決定する目標ＳＯＣ範囲決定部と、前記電池の充放電を制御する充放電制御部と、を備え、前記充電制御部は、前記目標ＳＯＣ範囲決定部によって決定された目標ＳＯＣ範囲に基づいて、前記電池の充放電を制御することを特徴とする。
【００１０】
また、本発明に係るハイブリッド車両駆動システムにおいては、前記目標ＳＯＣ範囲決定部は、推定されたエタノール混合割合が高い程、前記目標ＳＯＣ範囲の下限値が大きくなるよう、前記目標ＳＯＣ範囲を決定することが好適である。
【００１１】
また、本発明に係るハイブリッド車両駆動システムにおいては、前記混合割合推定部は、前記エンジンのノッキングを検出するノックセンサと、前記エンジンを点火させるときのクランク角を調整する点火調整手段と、を備え、ノッキングが検出されるときの点火クランク角に基づいて、エンジン燃料のエタノール混合割合を推定することが好適である。
【発明の効果】
【００１２】
本発明によれば、ハイブリッド車両駆動システムにおいて、使用する燃料に適した目標ＳＯＣ範囲を決定することができる。
【発明を実施するための最良の形態】
【００１３】
図１に本発明の実施形態に係るハイブリッド車両駆動システム１０の構成を示す。ハイブリッド車両駆動システム１０は、モータ１２およびエンジン１４を備え、走行状態に応じてモータ１２およびエンジン１４の少なくともいずれかによって車両を駆動する。走行中にエンジン１４を始動するため、ハイブリッド車両駆動システム１０はモータジェネレータ１６を備える。
【００１４】
ハイブリッド車両駆動システム１０は、燃料としてエタノール混合ガソリンを用いることができる。エタノール混合ガソリンは燃料タンク１８に蓄えられ、エンジン１４は、そのエタノール混合ガソリンによって稼働する。
【００１５】
ハイブリッド車両駆動システム１０の基本的な構成および動作について説明する。操作部２０は、アクセルペダル、ブレーキペダル、ギアチェンジレバー、ステアリング等を含み、ユーザの操作に基づく運転制御指令をメインコントロールユニット２２に出力する。メインコントロールユニット２２は、運転制御指令に基づいて、モータ１２、エンジン１４、およびモータジェネレータ１６を制御する。モータ１２、エンジン１４、およびモータジェネレータ１６は、メインコントロールユニット２２による制御に基づいて、それぞれのシャフトを加速回転し、または制動する。
【００１６】
モータ１２、エンジン１４、およびモータジェネレータ１６の各シャフトは、プラネタリギアユニット２４に取り付けられる。プラネタリギアユニット２４は、これらの相互間でトルクを伝達する。各トルクが合成された結果モータシャフトに与えられたトルクは、トランスミッションギア２６を介して車輪２８に伝達される。
【００１７】
ハイブリッド車両駆動システム１０は、このような構成によって、操作部２０の操作に応じてモータ１２、エンジン１４、およびモータジェネレータ１６を制御し、これらの合成トルクを車輪２８に伝達し車両を走行させる。
【００１８】
モータ１２およびモータジェネレータ１６の制御は、メインコントロールユニット２２が電力コントロールユニット３０を制御することで行う。電力コントロールユニット３０は、メインコントロールユニット２２の制御に基づいて、電池３２とモータ１２との間で授受される電力、および電池３２とモータジェネレータ１６との間で授受される電力を調整する。モータ１２およびモータジェネレータ１６は、電池３２との間の電力授受状態に応じて加速回転または回生制動発電する。
【００１９】
車両がモータ１２による単独走行を行うときは、メインコントロールユニット２２は、モータジェネレータ１６を空回り状態に制御する。これによって、プラネタリギアユニット２４は、モータ１２に対して無負荷状態となり、モータ１２はトランスミッションギア２６を介して車輪２８に加速トルクを与え、または車輪２８を回生制動する。
【００２０】
走行中にエンジン１４を始動するときは、メインコントロールユニット２２は、モータ１２が一定速度で回転し、電池３２からモータジェネレータ１６に電力が供給されるよう、電力コントロールユニット３０を制御する。これによって、モータジェネレータ１６はプラネタリギアユニット２４を介してエンジンシャフトを回転させる。このとき、メインコントロールユニット２２が、エンジン１４の点火制御を行うことによりエンジン１４が始動する。
【００２１】
走行中に、エンジン１４およびモータジェネレータ１６よる電池３２の充電を行うときは、メインコントロールユニット２２は、エンジン１４を駆動させつつ、モータ１２が一定速度で回転し、モータジェネレータ１６から電池３２に電力が供給されるよう、電力コントロールユニット３０を制御する。これによって、エンジン１４は、プラネタリギアユニット２４を介してモータジェネレータ１６を駆動し、モータジェネレータ１６は、発電電力を電池３２に供給して電池３２を充電する。
【００２２】
このような制御によれば、エンジン駆動力とモータ駆動力の使用割合を調整することができる。また、走行エネルギーを電気エネルギーに変換し回収することによって車両を減速し、回収したエネルギーを車両の駆動に用いることができる。さらに、走行に用いないエンジン駆動エネルギーを電力に変換して蓄えておくことができる。これによって、エネルギー効率を高くすることができる。
【００２３】
エンジン駆動力とモータ駆動力の使用割合の調整は、車両の走行状態に基づいて行うことができる。例えば、エンジンは、低速回転時の燃費が良好でない。そのため、低速走行時にはモータ単独によって走行し、車両速度が所定の速度に達したとき、急加速を行うとき等にエンジン１４を始動し、モータ１２およびエンジン１４によって走行する。これによって、エンジン１４の燃費を向上させることができる。
【００２４】
エンジン駆動力およびモータ駆動力の使用割合の調整は、電池３２の充電状態に基づいても行う。すなわち、電池３２の充電電力量が十分でないときには、エンジン駆動力を主とした走行とし、モータ１２による回生制動発電およびモータジェネレータ１６による発電の頻度を高くする。このとき、メインコントロールユニット２２は、電力コントロールユニット３０を制御することにより電池３２の放電を制限し、モータ駆動力による走行を制限する。一方、電池３２の充電電力量が十分であるときは、モータ１２による回生制動発電およびモータジェネレータ１６による発電の頻度を低くする。このとき、メインコントロールユニット２２は、電力コントロールユニット３０を制御することにより電池３２の充電を制限する。
【００２５】
メインコントロールユニット２２は、電池３２の充電電力量が十分であるか否かの判定を、電池３２のＳＯＣに基づいて行う。ＳＯＣは充電深度とも称され、電池３２の満充電容量に対する充電電荷量の割合を百分率を以て表したものである。電池３２のＳＯＣの測定はＳＯＣ測定部３４によって行われる。ＳＯＣ測定部３４は、電池３２の満充電容量、初期蓄積電荷量、電池３２に流れる電流の時間積算値等に基づいて電池３２のＳＯＣを測定し、測定結果を測定ＳＯＣとしてメインコントロールユニット２２に出力する。
【００２６】
目標ＳＯＣ記憶部３６には、後述の処理によって目標ＳＯＣ範囲が記憶される。目標ＳＯＣ範囲は、電池３２のＳＯＣがとるべき範囲であり、メインコントロールユニット２２は、測定ＳＯＣがこの範囲内となるよう充放電制御を行う。
【００２７】
メインコントロールユニット２２は、ＳＯＣ測定部３４から測定ＳＯＣを取得すると共に目標ＳＯＣ記憶部３６に記憶されている目標ＳＯＣ範囲を参照する。そして、測定ＳＯＣが目標ＳＯＣ範囲の下限値未満であるときは、電池３２の充電頻度を高くすると共に電池３２の放電を制限する。一方、メインコントロールユニット２２は、測定ＳＯＣが目標ＳＯＣ範囲の上限値を超えたときは電池３２の充電を制限する。
【００２８】
例えば、低速走行時にはモータ１２単独によって走行し、車両速度が所定の速度閾値以上となったきにエンジン１４を始動する制御を行う場合には、メインコントロールユニット２２は、速度閾値について次のような設定を行う。すなわち、測定ＳＯＣが目標ＳＯＣ範囲の下限値未満である場合、測定ＳＯＣが目標ＳＯＣ範囲の下限値以上であり目標ＳＯＣ範囲の上限値以下である場合、および測定ＳＯＣが目標ＳＯＣ範囲の上限値を超える場合には、それぞれ、第１の速度閾値、第２の速度閾値、および第３の速度閾値を速度閾値として設定する。ここで、第１の速度閾値は第２の速度閾値よりも小さい値とする。また、第３の速度閾値は第２の速度閾値よりも大きい値とする。
【００２９】
また、車両加速度が所定の加速度閾値以上となったきにエンジン１４を始動する制御を行う場合には、メインコントロールユニット２２は、加速度閾値について次のような設定を行う。すなわち、測定ＳＯＣが目標ＳＯＣ範囲の下限値未満である場合、測定ＳＯＣが目標ＳＯＣ範囲の下限値以上であり目標ＳＯＣ範囲の上限値以下である場合、および測定ＳＯＣが目標ＳＯＣ範囲の上限値を超える場合には、それぞれ、第１の加速度閾値、第２の加速度閾値、および第３の加速度閾値を加速度閾値として設定する。ここで、第１の加速度閾値は第２の加速度閾値よりも小さい値とする。また、第３の加速度閾値は第２の加速度閾値よりも大きい値とする。
【００３０】
これによって、測定ＳＯＣが目標ＳＯＣ範囲の下限値未満となったときには、エンジン１４の駆動力の使用割合を高めることができる。また、測定ＳＯＣが目標ＳＯＣ範囲の上限値を超えたときは、モータ１２の駆動力の使用割合を高めることができる。
【００３１】
また、メインコントロールユニット２２は、測定ＳＯＣが目標ＳＯＣ範囲の上限値を超えたときは電池３２の充電を制限するため、例えば、次のような制御を行ってもよい。メインコントロールユニット２２は、操作部２０のブレーキペダルの踏み込み等により、運転制御指令が車両を減速する旨を示すときは、モータジェネレータ１６およびモータ１２に回生電流が流れないよう、または、回生電流の大きさが低減されるよう、電力コントロールユニット３０を制御する。このような制御は、電力コントロールユニット３０がモータジェネレータ１６およびモータ１２に印加する電圧の大きさと、モータジェネレータ１６およびモータ１２の発電起電力の大きさとを、それぞれ近づけることによって行うことができる。これによって、測定ＳＯＣが目標ＳＯＣ範囲の上限値を超えたときには、モータジェネレータ１６およびモータ１２による電池３２の充電を制限することができる。このとき、車両の制動は、主に機械的なブレーキによって行うことができる。
【００３２】
次に、目標ＳＯＣ範囲を求める処理について説明する。目標ＳＯＣ範囲は、車両の加速性能を十分に発揮することができると共に、運転開始から運転終了までのエネルギー効率が高くなるよう決定することが好ましい。目標ＳＯＣ範囲の上限値は電池の性能に基づき、電池の寿命を十分に維持できる値とすることが好ましい。
【００３３】
目標ＳＯＣ範囲の上限値を一定とすれば、その下限値を小さくすることにより、電池によって充電される電力量の変化幅を大きくすることができる。これによって、電気エネルギーに変換され電池に充電される走行エネルギーを大きくすることができ、回生制動を行う頻度を高めることができる。したがって、機械的なブレーキによって摩擦熱として消費される走行エネルギーを低下させ、エネルギー効率を向上させることができる。
【００３４】
しかし、目標ＳＯＣ範囲の下限値を小さくし過ぎると、電池に充電される電力量が不十分となることがあり、発進時にモータ駆動力による走行が不可能となったり、モータジェネレータによるエンジン始動が不可能となったりするおそれがある。
【００３５】
本実施形態に係るハイブリッド車両駆動システム１０では、エンジン１４の燃料としてエタノール混合ガソリンを用いることができる。エタノール混合ガソリンを用いた場合、通常ガソリンを用いた場合に比して、低温時にエンジン１４が始動し難くなる。すなわち、エンジン１４を始動するのに必要なエンジンシャフトの回転数（例えば、エンジン１４が自走的に各工程を繰り返すまでに要するエンジンシャフト回転数）が多くなり、モータジェネレータ１６がエンジン１４を始動するために必要な電力量が大きくなる。したがって、目標ＳＯＣ範囲の下限値は、通常ガソリンの使用を前提として決定された標準の値よりも大きくすることが好ましいといえる。
【００３６】
そこで、ハイブリッド車両駆動システム１０では、燃料タンク１８に蓄えられたエタノール混合ガソリンのエタノール混合割合を推定する。そして、推定したエタノール混合割合に基づいて標準目標ＳＯＣ範囲を修正して用いる。ここで、標準目標ＳＯＣ範囲とは、通常ガソリンを使用したときに、車両の加速性能を十分に発揮することができる、運転開始から運転終了までのエネルギー効率が高くなる、等の観点から決定された目標ＳＯＣ範囲をいう。
【００３７】
まず、エタノールの混合割合を推定する原理について説明する。エタノール混合割合は、駆動中のエンジンの点火タイミングを試行的に変化させたときにおけるエンジンの状態に基づいて決定することができる。
【００３８】
エンジンの点火タイミングは、エンジンシャフトのクランク角により規定する。クランク角は、例えば、ピストンが最高圧縮位置に達したときを０°とし、ピストンが最高圧縮位置に達する前の角度を正の値、ピストンが最高圧縮位置に達した後の角度を負の値とする。
【００３９】
点火クランク角は、エンジンの燃費、出力トルク等のエンジン性能を左右する。そのため、通常のエンジン制御では、点火クランク角がエンジンの性能を十分に発揮することができる最適クランク角となるよう制御される。
【００４０】
ハイブリッド車両駆動システム１０は、エタノールの混合割合を推定するときは、走行性能に影響を与えない程度に試行的に点火クランク角を変化させる。エンジン１４を駆動しながら、最適クランク角から点火タイミングを早める方に点火クランク角をずらしていくと、点火を早めた角度がある角度になったときにノッキングと称される異常点火が起こる。ここで、エンジントルクが一定であるという条件の下、エタノール混合割合が高い程、ノッキングが生じるときの点火早め角度が大きくなることが知られている。
【００４１】
ハイブリッド車両駆動システム１０は、このような現象を利用して、エタノールの混合割合を推定する。図２は、エタノール混合割合を推定し、電池３２の目標ＳＯＣ範囲を決定する処理のフローチャートである。図２のステップＳ１０１〜Ｓ１０５はエタノール混合割合を推定する処理の流れを示す。
【００４２】
この処理は、メインコントロールユニット２２が、燃料タンク１８に新たに燃料が供給されたことを検知した後のエンジン駆動時に実行する。燃料供給の検知は、例えば、蓋が開けられたか否かを検出する蓋センサを燃料タンク１８の蓋に設ける構成とすることで行うことができる。蓋センサは、蓋が開けられたことを検出したときは、その旨の情報をメインコントロールユニット２２に出力する。また、車両には、燃料タンクに蓄えられている燃料が十分であるか否かを検出する燃料メータが設けられていることが通常である。燃料供給の検知は燃料メータに表示させる情報に基づいて行うこととしてもよい。
【００４３】
処理開始時において、メインコントロールユニット２２は、点火クランク角を予め定められた最適クランク角に設定してエンジン１４を制御しているものとする。また、一定のトルク指令値でエンジン１４を制御しているものとする。メインコントロールユニット２２は、エンジン１４の点火クランク角を所定の刻み角度だけ点火タイミングを早める方に変化させる（Ｓ１０１）。そして、ノックセンサ３８によってノッキングが検出されるか否かを判定する（Ｓ１０２）。メインコントロールユニット２２は、ノッキングが検出されないときはステップＳ１０１の実行に戻り、点火クランク角を刻み角度だけ変化させ、同様の処理を実行する。
【００４４】
メインコントロールユニット２２は、ノッキングが検出されたときは、このときの点火クランク角の最適クランク角からのずれ角をノック検出角として求める（Ｓ１０３）。そして、点火クランク角を最適クランク角に戻して通常のエンジン制御に戻る（Ｓ１０４）。
【００４５】
マップ記憶部４０は、ノック検出角とエンジントルク指令値とを与えることにより、エタノール混合割合を求める混合割合推定マップを記憶する。図３に混合割合推定マップの例を示す。図３の混合割合推定マップは、ノック検出角が同一であっても、エンジントルク指令値が大きい程エタノール混合割合が低く推定されることを示す。また、エンジントルク指令値が同一であるときには、ノック検出角が大きい程エタノール混合割合が高く推定されることを示す。この混合割合推定マップは、設計の段階でシミュレーション、評価実験等により求めておくことができる。
【００４６】
なお、図３は、離散的なエンジントルク指令値および離散的なノック検出角に対してエタノール混合割合が定まる混合割合推定マップを示している。このような離散的な関係を規定するマップの代わりに、エンジントルク指令値、ノック検出角、およびエタノール混合割合を、三次元座標系の各座標軸に対応させた連続的なグラフによるマップを採用してもよい。このような連続マップは、べき関数近似等によって求めることができる。
【００４７】
メインコントロールユニット２２は、マップ記憶部４０に記憶されている混合割合推定マップを参照し、ステップＳ１０３で求めたノック検出角およびエンジン１４に対するトルク指令値に基づいてエタノール混合割合を求める（Ｓ１０５）。
【００４８】
ステップＳ１０１〜Ｓ１０５の処理によれば、エタノール混合割合が高い程、ノッキングが生じるときの点火早め角度が大きくなるという現象を利用して、使用されている燃料のエタノール混合割合を推定することができる。
【００４９】
次に、求められたエタノール混合割合に基づいて標準目標ＳＯＣ範囲を修正する処理について説明する。図２のステップＳ１０６〜Ｓ１０９は標準目標ＳＯＣ範囲を修正する処理の流れを示す。
【００５０】
マップ記憶部４０は、標準目標ＳＯＣ範囲の下限値に対する補正係数をエタノール混合割合に対応付けた補正係数マップを記憶する。補正係数は、標準目標ＳＯＣ範囲の下限値に乗ずることで、エタノール混合ガソリンに対する目標ＳＯＣ範囲の下限値を補正する係数である。図４に補正係数マップの例を示す。図４の補正係数マップでは、エタノール混合割合が大きい程補正係数が大きくなり、エタノール混合割合が小さい程補正係数が小さくなる。したがって、エタノール混合割合が大きい程、最終的に決定される目標ＳＯＣ範囲の下限値が大きくなり、エタノール混合割合が小さい程、最終的に決定される目標ＳＯＣ範囲の下限値が小さくなる。エタノール混合割合の変化に対する補正係数の変化は、線形であってもよいし非線形であってもよい。
【００５１】
上述のように、ハイブリッド車両駆動システム１０では、エタノール混合割合が大きい程、モータジェネレータ１６がエンジン１４を始動するために必要なエンジンシャフト回転数が増加する。エンジンシャフトを回転させるために必要な電力量は、設計段階で求めておくことができる。したがって、エタノール混合割合と、エンジン始動に必要なエンジンシャフト回転数との関係を実験等により求めることで、エタノール混合割合と、エンジン始動に必要な電力量との関係を求めることができる。そして、エタノール混合割合の増加に対するエンジン始動に必要な電力量の増加に基づいて、電池３２に要求される最低限の充電電荷量の増加割合を求めることができ、補正係数マップを求めることができる。このように補正係数マップを求めることにより、電池３２の充電電力量の下限値を、エタノール混合割合の増加に対するエンジン始動に必要な電力量の増加に基づいて増加させることができる。
【００５２】
なお、図４は、離散的なエタノール混合割合の値に対して補正係数が定まる補正係数マップを示している。このような離散的な関係を規定するマップの代わりに、連続的なエタノール混合割合の値に対して補正係数を与えるマップを採用してもよい。このような連続マップは、べき関数近似等によって求めることができる。
【００５３】
また、モータジェネレータ１６がエンジン１４を始動するために必要なエンジンシャフト回転数は、エタノール混合ガソリンの温度に応じて変化することがある。このような場合、エタノール混合ガソリンの温度に対応した補正係数マップをマップ記憶部４０に記憶させておくことが好適である。そして、ハイブリッド車両駆動システム１０には、エタノール混合ガソリンの温度またはエタノール混合ガソリンの温度と相関関係のある温度を測定する温度センサを設けることが好適である。
【００５４】
メインコントロールユニット２２は、マップ記憶部４０に記憶されている補正係数マップを参照し、ステップＳ１０５で求めたエタノール混合割合に基づいて、補正係数を取得する（Ｓ１０６）。ここで、エタノール混合ガソリンの温度に対応した補正係数マップがマップ記憶部４０に記憶されている場合には、メインコントロールユニット２２は、温度センサの測定温度に応じた補正係数マップによって補正係数を取得する。
【００５５】
標準ＳＯＣ記憶部４２には、設計の段階でシミュレーション、実験等に基づいて求められた標準目標ＳＯＣ範囲が記憶されている。メインコントロールユニット２２は、標準ＳＯＣ記憶部４２に記憶されている標準目標ＳＯＣ範囲を読み込む（Ｓ１０７）。そして、標準目標ＳＯＣ範囲の下限値に、ステップＳ１０６で取得した補正係数を乗じた値を求める（Ｓ１０８）。メインコントロールユニット２２は、標準目標ＳＯＣ範囲の上限値を目標ＳＯＣ範囲上限値とし、ステップＳ１０８で求めた値を目標ＳＯＣ範囲下限値とした新たな目標ＳＯＣ範囲を目標ＳＯＣ記憶部３６に記憶させる（Ｓ１０９）。
【００５６】
このような処理によれば、標準目標ＳＯＣ範囲の下限値に補正係数を乗ずることで修正された数値範囲が新たな目標ＳＯＣ範囲として求められ、目標ＳＯＣ記憶部３６に記憶される。ハイブリッド車両駆動システム１０は、目標ＳＯＣ記憶部３６に新たな目標ＳＯＣ範囲が記憶された後は、上述のように電池３２の充放電制御をその目標ＳＯＣ範囲に基づいて行う。
【００５７】
目標ＳＯＣ記憶部３６に記憶される目標ＳＯＣ範囲の上限値は、標準目標ＳＯＣ範囲の上限値と等しいが、その目標ＳＯＣ範囲の下限値は、標準目標ＳＯＣの下限値に補正係数が乗ぜられた値となる。図４に示す補正係数マップが示すように、補正係数は、エタノール混合ガソリンのエタノール混合割合が高い程大きくなる。したがって、エタノール混合ガソリンのエタノール混合割合が高い程、目標ＳＯＣ範囲の下限値が大きくなる。これによって、使用燃料のエタノール混合割合が高い程、電池３２に充電される最低限の電荷量は大きくなる。そのため、エタノール混合ガソリンを用いることによってエンジン始動に要される電力量が大きくなり、電池３２からモータジェネレータ１６に供給する電力量が不十分になるという問題を回避することができる。
【００５８】
例えば、エタノール混合割合が１５％のエタノール混合ガソリンを使用した場合について採り上げる。通常ガソリンに対する標準ＳＯＣ範囲は４０％〜８０％であるものとする。このとき、ステップＳ１０６および図４の補正係数マップによれば、補正係数は、１．２である。したがって、ステップＳ１０９で目標ＳＯＣ記憶部３６に記憶される目標ＳＯＣ範囲は、４８％〜８０％となり、目標ＳＯＣ範囲の下限値は、標準目標ＳＯＣ範囲の下限値よりも８％大きくなる。これによって、最低限の充電電荷量は、通常ガソリンを用いた場合よりも８％増加することになり、この増加分は、エンジン始動のために用いることができる。
【図面の簡単な説明】
【００５９】
【図１】本発明の実施形態に係るハイブリッド車両駆動システムの構成を示す図である。
【図２】エタノール混合割合を推定し、電池の目標ＳＯＣ範囲を修正する処理のフローチャートである。
【図３】混合割合推定マップの例を示す図である。
【図４】補正係数マップの例を示す図である。
【符号の説明】
【００６０】
１０  ハイブリッド車両駆動システム、１２  モータ、１４  エンジン、１６  モータジェネレータ、１８  燃料タンク、２０  操作部、２２  メインコントロールユニット、２４  プラネタリギアユニット、２６  トランスミッションギア、２８  車輪、３０  電力コントロールユニット、３２  電池、３４  ＳＯＣ測定部、３６  目標ＳＯＣ記憶部、３８  ノックセンサ、４０  マップ記憶部、４２  標準ＳＯＣ記憶部。
【図１】
2010000867.tif 000003
【図２】
2010000867.tif 000004
【図３】
2010000867.tif 000005
【図４】
2010000867.tif 000006